(57)【要約】【課題】商品等の物品から取り外されたＩＣタグがコピー商品等の物品のタグとして使用されると、正規の商品等とコピー商品の区別がつかないため、コピー商品が正規の商品として流通するため正常なビジネスの妨げになっている。又、ＩＣタグが新しい物品に再使用される場合には、ＩＣタグの誤動作等により流通過程に混乱をきたす事になる。このような事態が発生することを防ぐために、ＩＣタグが再使用されることを防止するための対策が求められている。【解決手段】本発明は、ＩＣタグインレットのアンテナ配線パターンのアンテナラインの一部に通常のアンテナライよりも細い部分を設けておくことにより、タック紙をはがした場合には、アンテナラインの細い部分がタック紙の下面に貼着剤に付いて断線するようにして、ＩＣタグがそのタック紙を張り替えられて再使用されることを防止するようにして上記課題を解決したものである。【選択図】図３
2006139326.tif 000002
【特許請求の範囲】
【請求項１】
タック紙の下面に貼着剤により保持されるラベル加工用ＩＣタグインレットにおいて、
ＩＣタグインレットのアンテナ配線パターンのアンテナラインの一部に通常のアンテナライよりも細い部分を設けたことを特徴とするＩＣタグインレット。
【請求項２】
タック紙の下面に貼着剤により保持されるラベル加工用ＩＣタグインレットにおいて、
ＩＣタグインレットのアンテナ配線パターンのアンテナラインの一部に通常のアンテナライよりも細い部分を複数箇所設けて、タック紙をはがした場合には、アンテナラインの細い部分がタック紙の下面に貼着剤に付いてベース機材から剥がれて断線するようにして、ＩＣタグが不正使用されることを防止するようにしたことを特徴とするＩＣタグインレット。
【発明の詳細な説明】
【技術分野】
【０００１】
本発明は、ラベル加工用のＩＣタグインレットの構造に関する。
本発明のＩＣタグインレットは、これを使用して製造されたＩＣタグが不正使用されにくい構造のラベル加工用のＩＣタグインレットを実現することにある。
【背景技術】
【０００２】
外部の通信機器と非接触で交信して商品の管理や物流、各種の情報表示等に使用されるＩＣタグが広く実用化されるようになってきている。
商品等にＩＣタグを装着する場合は、ＩＣタグラベルを商品等に貼着するのが一般的な使用方法であり、このためにラベル加工用のＩＣタグインレットが使用されている。従来広く使われているラベル加工用のＩＣタグインレットは、商品等の情報を表示するタック紙と，ＩＣタグインレットと、タック紙とＩＣタグインレットを接合する貼着剤と，ＩＣタグインレットを商品に貼り付けるセパレート紙の付いた両面接着テープの構成からなるものが一般的である。
【０００３】
ＩＣタグインレットのタック紙は、その一面に貼着剤が塗工されている表面側の紙面であり、貼着剤が塗工されていない面に商品等の情報を表示する印刷が施されている。中間層のＩＣタグインレットには、ＩＣタグ用のアンテナパターンが印刷またはエッチング等により形成されており、ＩＣチップが装着されている。これらが非接触通信と情報記録の機能を行なう部分であり、アンテナパターンにより電波の送受信を行なう。ＩＣタグインレットの下面側には、両面テープが貼着されていて、さらにセパレート紙が最下面に保持されている。
ＩＣタグ用インレットをラベルとして使用する場合は、セパレート紙を剥離除去して両面テープによりＩＣタグラベルを商品等の物品に貼着する。
尚、上記の両面テープの代わりにホットメルト塗工層を施したＩＣタグ用インレットも実用化されているが、この場合は、セパレート紙を剥離除去してホットメルト塗工層によりＩＣタグラベルを物品に貼着する
【０００４】
【特許文献１】特開２００２−３４２７２８号公報，
【特許文献２】特開２００２−３５５８４７号公報，
【特許文献３】特開２００３−３４６１１４号公報，
【発明の開示】
【発明が解決しようとする課題】
【０００５】
ＩＣタグはこれが装着される商品等の物品に関する各種の情報が書き込まれ、物品に貼着されて一体で流通過程を移動していくが、通常は商品等の物品が流通過程の最終点に到達するとＩＣタグの機能が不要となるため、物品から取り外され破棄されるのがＩＣタグの一般のサイクルである。
しかしながら、商品等の物品から取り外されたＩＣタグがそのタック紙を張り替えられてコピー商品のタグとして使用されたり、新しい物品に再使用されることかある。
商品等の物品から取り外されたＩＣタグがコピー商品等の物品のタグとして使用されると、ＩＣタグのデータからは正規の商品等とコピー商品の区別がつかないため、コピー商品が正規の商品として流通するため正常なビジネスの妨げになっている。
又、商品等の物品から取り外されたＩＣタグが新しい物品に再使用される場合には、再使用されるＩＣタグのインレットが正常に動作する保証が無く、ＩＣタグの誤動作等により流通過程に混乱をきたす事になる。
このような事態が発生することを防ぐために、ＩＣタグがそのタック紙を張り替えられて再使用されることを防止するための対策が求められている。
【課題を解決するための手段】
【０００６】
本発明のラベル加工用ＩＣタグインレットは、タック紙の下面に貼着剤により保持されるラベル加工用ＩＣタグインレットにおいて、
ＩＣタグインレットのアンテナ配線パターンのアンテナラインの一部に通常のアンテナライよりも細い部分を設けておくことにより、タック紙をはがした場合には、アンテナラインの細い部分がタック紙の下面に貼着剤に付いてベース機材から剥がれて断線するようにして、ＩＣタグがそのタック紙を張り替えられて再使用されることを防止するようにして上記課題を解決したものである。
本発明の加工用ＩＣタグインレットは、アンテナ配線パターンのアンテナラインの一部にを補足するだけの簡易な構成であり、従来のＩＣタグインレットの製造工程を全く変更することなく実現することが可能であるためコストの増加が無く実現出来る。
【発明の効果】
【０００７】
商品等の物品から取り外されたＩＣタグがコピー商品等の物品のタグとして使用されることが防止されるので、コピー商品が正規の商品として流通することがなくなる
又、商品等の物品から取り外されたＩＣタグが新しい商品に再使用されることが防止されるので、ＩＣタグの誤動作等により商品等が流通過程に混乱をきたす事がなくなる。
本発明の加工用ＩＣタグインレットは、アンテナ配線パターンのアンテナラインの一部を補足するだけの簡易な構成であり、従来のＩＣタグインレットの製造工程を全く変更することなく実現することが可能であるためコストの増加が無く実現出来る。
【発明を実施するための最良の形態】
【０００８】
以下、本発明のラベル加工用ＩＣタグインレットについて、図面を参照して順次説明する。
図１は、本発明のＩＣタグインレットを使用したＩＣタグの分解斜視図、図２は、本発明のＩＣタグインレットを使用したＩＣタグの構成の断面図である。
通常、ラベル加工用ＩＣタグインレットは単位のＩＣタグインレットが帯状に連接した連続体に形成されて製造されるが、図１及び図２の場合、インレットにおける１単位のラベル加工用のＩＣタグインレットを取り出して示している。
図１及び図２において、１０は、タック紙，２０は貼着剤，３０はＩＣタグインレット，４０は両面テープ，５０はセパレート紙である。
ＩＣタグインレット３０のインレット基材３１の表面側には、アンテナパターン３２が形成され、アンテナパターン３２の両端３４，３５にはＩＣチップ３３が装着されて非接触ＩＣタグが形成されている。
【０００９】
ＩＣタグインレット３０の上面のタック紙１０は、ＩＣタグインレット３０と一体になって商品等の物品に貼着される部分であり、その表面側には物品の内容等を表示する印刷等が施される。
タック紙１０は、ラベル用紙やコート紙、あるいはプラスチック材料等が使用される。
ＩＣタグインレット３０の面積が小さければ、その縁辺部においてもセパレート紙５０に直接接することができ、またその部分の貼着剤が物品に接着することによりＩＣタグインレット３０を物品に固定できることから、個々のタック紙の大きさは、通常ＩＣタグインレット３０の個片のサイズよりは幅広で、長さも長く設定さるのが普通である。
ラベル加工用ＩＣタグインレットをＩＣタグラベルとして対象物品に貼着する場合は、セパレート紙５０を剥離除去して、タック紙１０とＩＣタグインレット３０の一体物を物品に貼着する。大量に連続的に貼着する場合には、ラベル加工用ＩＣタグインレットの帯状連続体をラベラー等に装填して使用される。
【００１０】
図３は、本発明のＩＣタグインレットのインレット基材３１に形成されたアンテナパターン３２の形状の一実施例を示した図である。
ＩＣタグインレット３０は、プラスチック等のインレット基材３１にコイル状アンテナパターン３２を形成し、当該コイルと容量素子とによりＬＣ共振回路を形成して一定周波数の電波を受信するとともにＩＣタグの情報を発信源に送信して返すことにより非接触の通信を行っている。
このようなＩＣタグはインレット基材３１にラミネートしたアルミ箔等の金属箔をフォトエッチングやレジスト印刷後のエッチングによりアンテナパターン３２を形成するか、プリント配線技術により形成される。
インレット基材３１には、ＰＥＴやポリプロピレン、ポリエチレン、ポリスチレン、ナイロン等の各種材料が使用される。又、ラミネートする金属箔としては銅箔やアルミ箔が使用される。
【００１１】
アンテナパターン３２は導通部材により基材３１の裏面でジャンピング回路を形成して接続端子３５，３６によりＩＣチップ３３のバンプに接続される。
ＩＣタグインレット３０のアンテナ配線パターン３２のアンテナラインの一部には通常のアンテナラインよりも細い部分３４が設けられている。通常のアンテナラインよりも細い部分３４は、タック紙１０をはがした場合には、この通常のアンテナラインよりも細い部分３４がタック紙１０の下面の貼着剤２０に付いてインレット基材３１から剥がれて断線するようにして、ＩＣタグが不正使用されることを防止するようにしている。
アンテナラインの一部に設ける通常のアンテナラインよりも細い部分３４は、アンテナコイルと容量素子とにより形成されるＬＣ共振回路の特性を妨げない範囲の長さで形成される。
アンテナラインの細い部分３３をアンテナライン中に複数箇所設けるとタック紙１０をはがした場合に、アンテナラインの細い部分３４がタック紙１０の下面の貼着剤２０に付いてインレット基材３１から剥がれて断線するのを確実に行うことが出来る。
【００１２】
ＩＣタグインレット３０はウェブ上に連接して形成され、ウェブを断裁機により一定間隔に切断して個片化される。
個片化したＩＣタグインレット３０は、タック紙１０の貼着剤２０の面に一定間隔で貼着され、この下面にセパレート紙１３が圧着されてＩＣタグインレットの連続体の状態になる。連続体の状態のＩＣタグインレットは打ち抜き機で、タック紙１０をラベル外形形状に打ち抜かれて製品となる。
このようにして完成したＩＣタグは、ラベラーに装填して対象物品に貼着されるが、人為的に貼着することもできる。対象物品に貼着の際、あるいは貼着の後に、ＩＣタグのＩＣメモリーに対してリーダライタによりこれが装着される商品等の物品に関する各種の情報が書き込まれる。
【００１３】
ＩＣタグは物品に貼着されて一体で流通過程を移動していくが、通常は商品等の物品が流通過程の最終点に到達するとＩＣタグの機能が不要となるため、物品から取り外される。
この場合、商品等の物品から取り外されたＩＣタグのタック紙１０を張り替えてコピー商品のタグとして使用するためや、新しい物品に再使用するためにＩＣタグのタック紙１０を剥がすとＩＣタグインレット３０のアンテナラインの細い部分３４がタック紙１０の下面の貼着剤２０に付いてインレット基材３１から剥がれて断線するため、ＩＣタグが機能しなくなる。
これにより、商品等の物品から取り外されたＩＣタグがコピー商品等の物品のタグとして使用されたり、新しい物品に再使用されることを防止することができるので、コピー商品が正規の商品として流通して正常なビジネスの妨げになったり、ＩＣタグの誤動作等により流通過程に混乱をきたすことがなくなる。
本発明の加工用ＩＣタグインレットは、アンテナ配線パターンのアンテナラインの一部にを細くするだけの簡易な構成であり、従来のＩＣタグインレットの製造工程を全く変更することなく実現することが可能であるためコストの増加が無く実現出来るので実施が容易である。
【産業上の利用可能性】
【００１４】
本発明はＩＣタグの製造、ＩＣタグを使用する各種の流通産業において使用可能である。
【図面の簡単な説明】
【００１５】
【図１】本発明のＩＣタグインレットを使用したＩＣタグの分解斜視図である。
【図２】本発明のＩＣタグインレットを使用したＩＣタグの構成の断面図である。
【図３】本発明のＩＣタグインレットのインレット基材３１に形成されたアンテナパターン３２の形状の一実施例を示した図である。
【符号の説明】
【００１６】
１０・・・タック紙
２０・・・貼着剤
３０・・・ＩＣタグインレット
３１・・・インレット基材
３２・・・アンテナパターン
３３・・・ＩＣチップ
３４・・・アンテナラインの一部の通常のアンテナライよりも細い部分
３５，３６・・・アンテナパターン３２の両端子
４０・・・両面テープ
５０・・・セパレート紙
【図１】
2006139326.tif 000003
【図２】
2006139326.tif 000004
【図３】
2006139326.tif 000005